(57)【要約】  スケジューリング要求を基地局装置へ送信する端末装置（１００）は、論理チャネルに対応するスケジューリング要求設定に関する設定情報を含む信号を受信できる受信部（１１１）と、前記スケジューリング要求設定に対応するカウンタを制御する制御部（１１４）とを有し、前記制御部（１１４）は、前記受信部（１１１）が前記スケジューリング要求設定の再設定に関する設定情報を含む信号を受信した場合、前記再設定後のスケジューリング要求設定及びスケジューリング要求の状態の少なくとも一方に応じて、前記カウンタを制御する。
2020136922.tif 000002
【特許請求の範囲】
【請求項１】
スケジューリング要求を基地局装置へ送信する端末装置であって、
論理チャネルに対応するスケジューリング要求設定に関する設定情報を含む信号を受信できる受信部と、
前記スケジューリング要求設定に対応するカウンタを制御する制御部とを有し、
前記制御部は、
前記受信部が前記スケジューリング要求設定の再設定に関する設定情報を含む信号を受信した場合、前記再設定後のスケジューリング要求設定及びスケジューリング要求の状態の少なくとも一方に応じて、前記カウンタを制御する
ことを特徴とする端末装置。
【請求項２】
前記制御部は、
前記再設定後のスケジューリング要求設定に対応するカウンタに、前記再設定前のスケジューリング要求の送信回数から継続してスケジューリング要求の送信回数をカウントさせることを特徴とする請求項１記載の端末装置。
【請求項３】
前記制御部は、
前記受信部が前記スケジューリング要求設定の再設定に関する設定情報を含む信号を受信した場合、すべてのスケジューリング要求設定に対応するカウンタを初期化する
ことを特徴とする請求項１記載の端末装置。
【請求項４】
前記制御部は、
前記受信部が前記スケジューリング要求設定の再設定に関する設定情報を含む信号を受信した場合、複数のスケジューリング要求設定に対応する複数のカウンタのうち前記再設定後のスケジューリング要求設定に対応するカウンタのみを初期化することを特徴とする請求項１記載の端末装置。
【請求項５】
前記制御部は、
１つのスケジューリング要求設定に属する複数のスケジューリング要求が同時に起動された場合、前記１つのスケジューリング要求設定に対応するカウンタを初期化する
ことを特徴とする請求項１記載の端末装置。
【請求項６】
前記制御部は、
前記カウンタに初期値である０を設定して初期化することを特徴とする請求項３〜５のいずれか１つに記載の端末装置。
【請求項７】
スケジューリング要求を基地局装置へ送信する端末装置であって、
論理チャネルに対応するスケジューリング要求設定に関する設定情報を含む信号を受信できる受信部と、
前記スケジューリング要求設定に対応するカウンタを制御する制御部とを有し、
前記制御部は、
１つのスケジューリング要求設定に属する複数のスケジューリング要求が同時に起動された場合、前記１つのスケジューリング要求設定に対応するカウンタを初期化することを特徴とする端末装置。
【請求項８】
前記制御部は、
前記カウンタに初期値である０を設定して初期化することを特徴とする請求項７記載の端末装置。
【請求項９】
前記制御部は、
前記受信部が前記スケジューリング要求設定の再設定に関する設定情報を含む信号を受信した場合、前記再設定後のスケジューリング要求の設定において、スケジューリング要求送信がカウント中か否かに応じて、前記カウンタを初期化することを特徴とする請求項１に記載の端末装置。
【請求項１０】
スケジューリング要求を端末装置から受信する端末装置であって、
論理チャネルに対応するスケジューリング要求設定に関する設定情報を含む信号を送信できる送信部と、
前記送信部が前記スケジューリング要求設定の再設定に関する設定情報を含む信号を送信した場合、前記再設定後のスケジューリング要求設定及びスケジューリング要求の状態の少なくとも一方に応じて制御されるカウンタによって送信回数がカウントされるスケジューリング要求を受信できる受信部と、
前記受信部によってスケジューリング要求が受信された場合、スケジューリング要求に従って前記端末装置にリソースを割り当てるスケジューリング部と
を有することを特徴とする基地局装置。
【請求項１１】
スケジューリング要求を送受信する端末装置と基地局装置とを有する無線通信システムであって、
前記端末装置は、
論理チャネルに対応するスケジューリング要求設定に関する設定情報を含む信号を受信できる受信部と、
前記スケジューリング要求設定に対応するカウンタを制御する制御部とを有し、
前記制御部は、
前記受信部が前記スケジューリング要求設定の再設定に関する設定情報を含む信号を受信した場合、前記再設定後のスケジューリング要求設定及びスケジューリング要求の状態の少なくとも一方に応じて、前記カウンタを制御する
ことを特徴とする無線通信システム。
【発明の詳細な説明】
【技術分野】
【０００１】
本発明は、端末装置、基地局装置及び無線通信システムに関する。
【背景技術】
【０００２】
現在のネットワークにおいては、モバイル端末（スマートフォンやフィーチャーホン）のトラフィックがネットワークのリソースの大半を占めている。また、モバイル端末が使用するトラフィックは、今後も拡大していく傾向にある。【０００３】
一方で、ＩｏＴ（Internet  of  things）サービス（例えば、交通システム、スマートメータ、装置等の監視システム）の展開に合わせて、多様な要求条件を持つサービスに対応することが求められている。そのため、第５世代移動体通信（５Ｇまたは、ＮＲ（New  Radio））の通信規格では、第４世代移動体通信（４Ｇ）の標準技術（例えば、非特許文献１〜１２）に加えて、さらなる高データ信号レート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められており、２０１７年１２月に、初版がリリースされている（非特許文献１３〜３９）。【０００４】
上述したように、多種多様なサービスに対応するために、５Ｇでは、ｅＭＢＢ（Enhanced  Mobile  BroadBand）、Ｍａｓｓｉｖｅ  ＭＴＣ（MachineType  Communications）、及びＵＲＬＬＣ（Ultra-Reliable  and  Low  Latency  Communication）に分類される多くのユースケースのサポートを想定している。【０００５】
端末装置から基地局装置へ送信されるＵＬデータ（Uplink  data）が発生すると、端末装置は、基地局装置に対してスケジューリング要求（ＳＲ：Scheduling  Request）を送信する。その後、基地局装置からリソースを割り当てられると、端末装置は、割り当てられたリソースを用いて、ＵＬデータ量に応じたバッファステータスレポート（ＢＳＲ：Buffer  Status  Report）を送信する。ＢＳＲを受信した基地局装置は、ＵＬデータを送信するためのリソースを端末装置に割り当て、割当情報を端末装置へ送信する。端末装置は、割当情報を基にＵＬデータを送信する。【０００６】
なお、端末装置には、スケジューリング要求の失敗をカウントするＳＲカウンタ（SR  COUNTER）が設定されており、ＳＲカウンタが所定値（設定値）を超えると無線回線エラー（Radio  Link  Failure）となる。無線回線エラーが多発しないように、ＳＲカウンタを初期値に戻す条件が設定されている。
【先行技術文献】
【非特許文献】
【０００７】
【非特許文献１】3GPP  TS  36.133  V15.3.0（2018-06）
【非特許文献２】3GPP  TS  36.211  V15.2.0（2018-06）
【非特許文献３】3GPP  TS  36.212  V15.2.1（2018-07）
【非特許文献４】3GPP  TS  36.213  V15.2.0（2018-06）
【非特許文献５】3GPP  TS  36.300  V15.2.0（2018-06）
【非特許文献６】3GPP  TS  36.321  V15.2.0（2018-07）
【非特許文献７】3GPP  TS  36.322  V15.1.0（2018-07）
【非特許文献８】3GPP  TS  36.323  V15.0.0（2018-07）
【非特許文献９】3GPP  TS  36.331  V15.2.2（2018-06）
【非特許文献１０】3GPP  TS  36.413  V15.2.0（2018-06）
【非特許文献１１】3GPP  TS  36.423  V15.2.0（2018-06）
【非特許文献１２】3GPP  TS  36.425  V15.0.0（2018-06）
【非特許文献１３】3GPP  TS  37.340  V15.2.0（2018-06）
【非特許文献１４】3GPP  TS  38.201  V15.0.0（2017-12）
【非特許文献１５】3GPP  TS  38.202  V15.2.0（2018-06）
【非特許文献１６】3GPP  TS  38.211  V15.2.0（2018-06）
【非特許文献１７】3GPP  TS  38.212  V15.2.0（2018-06）
【非特許文献１８】3GPP  TS  38.213  V15.2.0（2018-06）
【非特許文献１９】3GPP  TS  38.214  V15.2.0（2018-06）
【非特許文献２０】3GPP  TS  38.215  V15.2.0（2018-06）
【非特許文献２１】3GPP  TS  38.300  V15.2.0（2018-06）
【非特許文献２２】3GPP  TS  38.321  V15.2.0（2018-06）
【非特許文献２３】3GPP  TS  38.322  V15.2.0（2018-06）
【非特許文献２４】3GPP  TS  38.323  V15.2.0（2018-06）
【非特許文献２５】3GPP  TS  38.331  V15.2.1（2018-06）
【非特許文献２６】3GPP  TS  38.401  V15.2.0（2018-06）
【非特許文献２７】3GPP  TS  38.410  V15.0.0（2018-06）
【非特許文献２８】3GPP  TS  38.413  V15.0.0（2018-06）
【非特許文献２９】3GPP  TS  38.420  V15.0.0（2018-06）
【非特許文献３０】3GPP  TS  38.423  V15.0.0（2018-06）
【非特許文献３１】3GPP  TS  38.470  V15.2.0（2018-06）
【非特許文献３２】3GPP  TS  38.473  V15.2.1（2018-07）
【非特許文献３３】3GPP  TR  38.801  V14.0.0（2017-03）
【非特許文献３４】3GPP  TR  38.802  V14.2.0（2017-09）
【非特許文献３５】3GPP  TR  38.803  V14.2.0（2017-09）
【非特許文献３６】3GPP  TR  38.804  V14.0.0（2017-03）
【非特許文献３７】3GPP  TR  38.900  V15.0.0（2018-06）
【非特許文献３８】3GPP  TR  38.912  V15.0.0（2018-06）
【非特許文献３９】3GPP  TR  38.913  V15.0.0（2018-06）
【発明の概要】
【発明が解決しようとする課題】
【０００８】
現在、３ＧＰＰの会合では、５Ｇの様々なユースケースに対応するために新たな規定の追加及び検討がされている。しかしながら、現状のＳＲカウンタのカウント方法では、追加された新たな規定や検討されている規定に対しての動作が不十分である。すなわち、ＳＲカウンタを初期値に戻す初期化の条件が不明確であり、スケジューリング要求のカウントを継続するのかＳＲカウンタを初期化するのか判然としない場合があるという問題がある。【０００９】
開示の技術は、かかる点に鑑みてなされたものであって、ＳＲカウンタを適切に動作させることができる端末装置、基地局装置及び無線通信システムを提供することを目的とする。
課題を解決するための手段【００１０】
本願が開示する端末装置は、１つの態様において、スケジューリング要求を基地局装置へ送信する端末装置であって、論理チャネルに対応するスケジューリング要求設定に関する設定情報を含む信号を受信できる受信部と、前記スケジューリング要求設定に対応するカウンタを制御する制御部とを有し、前記制御部は、前記受信部が前記スケジューリング要求設定の再設定に関する設定情報を含む信号を受信した場合、前記再設定後のスケジューリング要求設定及びスケジューリング要求の状態の少なくとも一方に応じて、前記カウンタを制御する。
【発明の効果】
【００１１】
本願が開示する端末装置、基地局装置及び無線通信システムの１つの態様によれば、ＳＲカウンタを適切に動作させることができるという効果を奏する。
【図面の簡単な説明】
【００１２】
【図１】図１は、実施の形態１に係る端末装置の構成を示すブロック図である。
【図２】図２は、実施の形態１に係る基地局装置の構成を示すブロック図である。
【図３】図３は、実施の形態１に係るスケジューリング要求の動作を示すフロー図である。
【図４】図４は、ＳＲカウンタの制御の具体例を示すシーケンス図である。
【図５】図５は、標準仕様書の記載例を示す図である。
【図６】図６は、ＳＲカウンタの制御の他の具体例を示すシーケンス図である。
【図７】図７は、標準仕様書の他の記載例を示す図である。
【図８】図８は、標準仕様書のさらに他の記載例を示す図である。
【図９】図９は、標準仕様書のさらに他の記載例を示す図である。
【図１０】図１０は、ＳＲカウンタの制御のさらに他の具体例を示すシーケンス図である。
【図１１】図１１は、標準仕様書のさらに他の記載例を示す図である。
【図１２】図１２は、実施の形態２に係るスケジューリング要求の動作を示すフロー図である。
【図１３】図１３は、標準仕様書の記載例を示す図である。
【図１４】図１４は、標準仕様書の記載例を示す図である。
【図１５】図１５は、標準仕様書のさらに他の記載例を示す図である。
【発明を実施するための形態】
【００１３】
以下、本願が開示する端末装置、基地局装置及び無線通信システムの実施の形態について、図面を参照して詳細に説明する。なお、この実施の形態により本発明が限定されるものではない。
【００１４】
（実施の形態１）
実施の形態１に係る無線通信システムは、端末装置１００と基地局装置２００とを有する。端末装置１００は、端末装置１００から基地局装置２００へＵＬ（Uplink）データを送信する。このとき、端末装置１００は、送信すべきＵＬデータが発生したことをバッファステータスレポート（ＢＳＲ）の送信のトリガとし、ＢＳＲ送信のトリガが発生するとスケジューリング要求（ＳＲ）の送信を起動（トリガ）する。そして、端末装置１００は、ＳＲに対する応答として基地局装置２００からＵＬグラントを受信すると、ＵＬグラントによって割り当てられるリソースを用いてＢＳＲを送信する。その後、端末装置１００は、基地局装置２００からさらにＵＬグラントを受信し、このＵＬグラントによって割り当てられるリソースを用いてＵＬデータを送信する。
【００１５】
ＳＲの送信が起動された後のＳＲの送信回数は、ＳＲカウンタによってカウントされており、所定のＳＲ終了条件を満たす前にＳＲの送信回数が所定回数に到達すると、無線回線エラー（Radio  Link  Failure）が発生したことが検知される。ＳＲカウンタは、ＳＲの送信に関する設定（SR  configuration：以下「ＳＲ設定」という）ごとに設けられることがある。すなわち、例えばＵＬデータのＱｏＳ（Quality  of  Service）などに応じて異なるＳＲ設定が設定されており、それぞれのＳＲ設定についてＳＲカウンタが設けられることがある。
【００１６】
ところで、ＳＲ設定は、ＳＲの送信が継続する間に変更されることが考えられる。具体的には、例えば端末装置１００が複数の基地局装置と同時に接続する多元接続をする際に、接続するセルのグループ（ＣＧ：Cell  Group）をＭＡＣ（Medium  Access  Control）レイヤの初期化（リセット）無しに再設定する場合、ＣＧの再設定に応じてＳＲ設定も再設定されることがある。このような場合、ＳＲ設定ごとのＳＲカウンタの動作について、現状では明確な規定がなく、プロトコルエラーが発生する恐れがある。そこで、実施の形態１では、ＳＲ設定が変更される場合のプロトコルエラーを防止する場合について説明する。
【００１７】
図１は、実施の形態１に係る端末装置１００の構成を示すブロック図である。図１に示す端末装置１００は、プロセッサ１１０、メモリ１２０及び無線通信部１３０を有する。
【００１８】
プロセッサ１１０は、例えばＣＰＵ（Central  Processing  Unit）、ＦＰＧＡ（Field  Programmable  Gate  Array）又はＤＳＰ（Digital  SignalProcessor）などを備え、端末装置１００の全体を統括制御する。具体的には、プロセッサ１１０は、設定情報受信部１１１、ＳＲ送信制御部１１２、ＳＲカウンタ１１３、ＳＲカウンタ制御部１１４及びＵＬ通信制御部１１５を有する。
【００１９】
設定情報受信部１１１は、ＳＲ設定に関する設定情報を無線通信部１３０を介して受信する。具体的には、設定情報受信部１１１は、例えばＳＲ設定ごとのＳＲの送信回数の上限などのパラメータを含む設定情報を受信する。また、設定情報受信部１１１は、ＵＬデータとＳＲ設定の対応関係を示す設定情報を受信する。すなわち、設定情報受信部１１１は、ＵＬデータのＳＲをどのＳＲ設定によって送信すべきかを示す設定情報を受信する。なお、設定情報受信部１１１は、例えばＲＲＣ（Radio  Resource  Control）によって基地局装置２００から送信される設定情報を受信する。
【００２０】
ＳＲ送信制御部１１２は、送信すべきＵＬデータが発生した場合に、このＵＬデータを送信するためのスケジューリングを要求するＳＲを無線通信部１３０を介して送信する。このとき、ＳＲ送信制御部１１２は、ＵＬデータに対応するＳＲ設定に従ってＳＲを送信する。例えばＳＲ送信制御部１１２は、ＵＬデータのＱｏＳに応じたＳＲ設定に従ってＳＲを送信する。したがって、例えばＱｏＳが同じクラスの複数のＵＬデータが発生した場合には、ＳＲ送信制御部１１２は、これらのＵＬデータに対してまとめて１つのＳＲを送信しても良い。そして、ＳＲ送信制御部１１２は、所定のＳＲ終了条件が満たされるまでは、繰り返してＳＲを送信する。なお、ＳＲ送信制御部１１２は、例えばＰＵＣＣＨ（Physical  Uplink  Control  CHannel）を用いてＳＲを送信する。
【００２１】
ＳＲカウンタ１１３は、ＳＲ設定ごとにＳＲの送信回数をカウントする。すなわち、所定のＳＲ終了条件が満たされるまで繰り返してＳＲが送信されるため、ＳＲカウンタ１１３は、ＳＲの送信回数をカウントする。ＳＲカウンタ１１３は、ＳＲカウンタ制御部１１４の制御に従って、各ＳＲ設定におけるカウント回数を初期化する。
【００２２】
ＳＲカウンタ制御部１１４は、ＳＲカウンタ１１３におけるＳＲ設定ごとのカウント回数を制御する。具体的には、ＳＲカウンタ制御部１１４は、ＳＲ送信制御部１１２によっていずれかのＳＲ設定によるＳＲの送信が起動されると、該当するＳＲ設定のカウント回数を０に初期化する。そして、ＳＲカウンタ制御部１１４は、ＳＲ送信制御部１１２によってＳＲが送信されると、ＳＲカウンタ１１３において、送信されたＳＲが属するＳＲ設定のカウント回数をインクリメントさせる。また、ＳＲカウンタ制御部１１４は、ＳＲ設定を再設定する設定情報が設定情報受信部１１１によって受信された場合に、ＳＲ設定ごとのカウント回数を制御する。すなわち、ＳＲカウンタ制御部１１４は、ＳＲ設定が変更された場合に、ＳＲ設定ごとのカウント回数を継続するか初期化するかを制御する。
【００２３】
ＵＬ通信制御部１１５は、端末装置１００から基地局装置２００へのＵＬ（Uplink）の通信を制御する。具体的には、ＵＬ通信制御部１１５は、ＳＲ送信制御部１１２によって送信されたＳＲに対する応答として、基地局装置２００から送信されるＵＬグラントを無線通信部１３０を介して受信する。そして、ＵＬ通信制御部１１５は、ＵＬグラントによって割り当てられるリソースを用いて、バッファにおけるＵＬデータの滞留量を示すＢＳＲを無線通信部１３０を介して送信する。その後、ＵＬ通信制御部１１５は、ＢＳＲに基づくスケジューリングの結果基地局装置２００から送信されるＵＬグラントを受信し、ＵＬグラントによって割り当てられるリソースを用いて、ＵＬデータを送信する。なお、ＵＬ通信制御部１１５は、例えばＰＵＳＣＨ（Physical  Uplink  Shared  CHannel）を用いてＢＳＲを送信し、ＰＵＳＣＨを用いてＵＬデータを送信する。
【００２４】
メモリ１２０は、例えばＲＡＭ（Random  Access  Memory）又はＲＯＭ（Read  Only  Memory）などを備え、プロセッサ１１０が処理を実行するために使用する情報を記憶する。
【００２５】
無線通信部１３０は、プロセッサ１１０から出力されるＳＲ、ＢＳＲ及びＵＬデータに対して、例えばＤ／Ａ（Digital/Analog）変換及びアップコンバートなどの無線送信処理を施し、アンテナを介して無線送信する。また、無線通信部１３０は、アンテナを介して無線受信した受信データに対して、例えばダウンコンバート及びＡ／Ｄ（Analog/Digital）変換などの無線受信処理を施し、プロセッサ１１０へ出力する。無線通信部１３０が受信する受信データには、例えば設定情報及びＵＬグラントが含まれる。
【００２６】
図２は、実施の形態１に係る基地局装置２００の構成を示すブロック図である。図２に示す基地局装置２００は、無線通信部２１０、プロセッサ２２０及びメモリ２３０を有する。
【００２７】
無線通信部２１０は、アンテナを介して信号を受信し、受信信号に対してダウンコンバート及びＡ／Ｄ変換などの所定の無線受信処理を施す。また、無線通信部２１０は、プロセッサ２２０から出力される送信信号に対してＤ／Ａ変換及びアップコンバートなどの所定の無線送信処理を施し、アンテナを介して送信する。
【００２８】
プロセッサ２２０は、例えばＣＰＵ、ＦＰＧＡ又はＤＳＰなどを備え、基地局装置２００の全体を統括制御する。具体的には、プロセッサ２２０は、ＵＬ通信制御部２２１、スケジューリング部２２２、ＵＬグラント送信部２２３及び設定情報送信部２２４を有する。
【００２９】
ＵＬ通信制御部２２１は、端末装置１００から送信されるＵＬの信号を無線通信部２１０を介して受信し、受信信号の復調及び復号を実行する。ＵＬ通信制御部２２１が受信するＵＬの信号には、端末装置１００から送信されるＳＲ、ＢＳＲ及びＵＬデータが含まれる。
【００３０】
スケジューリング部２２２は、端末装置１００から送信されたＳＲがＵＬ通信制御部２２１によって受信されると、端末装置１００がＢＳＲを送信するためのリソースを決定し、決定したリソースをＵＬグラント送信部２２３へ通知する。また、スケジューリング部２２２は、端末装置１００から送信されたＢＳＲがＵＬ通信制御部２２１によって受信されると、端末装置１００がＵＬデータを送信するためのリソースを決定し、決定したリソースをＵＬグラント送信部２２３へ通知する。
【００３１】
ＵＬグラント送信部２２３は、スケジューリング部２２２からＢＳＲ送信のためのリソースが通知されると、このリソースを用いたＢＳＲの送信を許可することを示すＵＬグラントを生成し、無線通信部２１０を介して端末装置１００へ送信する。また、ＵＬグラント送信部２２３は、スケジューリング部２２２からＵＬデータ送信のためのリソースが通知されると、このリソースを用いたＵＬデータの送信を許可することを示すＵＬグラントを生成し、無線通信部２１０を介して端末装置１００へ送信する。
【００３２】
設定情報送信部２２４は、ＳＲ設定に関する設定情報を無線通信部２１０を介して送信する。設定情報送信部２２４は、例えばＵＬデータのＱｏＳとＳＲ設定との対応関係が変更された場合に、ＵＬデータとＳＲ設定の対応関係を示す設定情報を送信する。また、設定情報送信部２２４は、例えば端末装置１００が接続するＣＧをＭＡＣレイヤの初期化無しに再設定する場合、ＣＧの再設定に応じてＳＲ設定を再設定するための設定情報を送信する。
【００３３】
次いで、上記のように構成された無線通信システムにおけるスケジューリング要求の動作について、図３に示すフロー図を参照しながら説明する。以下においては、主に送信すべきＵＬデータが発生した場合の端末装置１００の動作について説明する。
【００３４】
端末装置１００において、送信すべきＵＬデータの発生は、ＢＳＲ送信のトリガとなる（ステップＳ１０１）。このため、ＳＲ送信制御部１１２によって、ＵＬデータを送信するためのスケジューリング要求が起動される（ステップＳ１０２）。このとき、ＳＲ送信制御部１１２によって、設定情報が参照されることにより、例えばＵＬデータのＱｏＳに応じたＳＲ設定のＳＲが起動される。そして、ＳＲカウンタ制御部１１４によって、起動されたＳＲが属するＳＲ設定のＳＲカウンタ１１３におけるカウント回数が初期化される（ステップＳ１０３）。すなわち、ＳＲカウンタ制御部１１４によって、起動されたＳＲが属するＳＲ設定のＳＲ送信回数が初期値の０に設定される。
【００３５】
ただし、このＳＲ設定において、他のＵＬデータに関するＳＲ送信回数が既にカウント中である場合（SR  pending）には、当該ＳＲ設定のＳＲカウンタ１１３におけるカウント回数は初期化されず、ＳＲの送信回数が継続してカウントされる。ここでは、他のＵＬデータに関するＳＲ送信回数がカウント中ではなく、上記の起動されたＳＲがＳＲ設定において最初に起動されたＳＲであるものとして説明を続ける。
【００３６】
ＳＲカウンタ１１３のカウント回数が初期化されると、ＳＲ送信制御部１１２によって、ＳＲの送信が開始される。すなわち、ＳＲが無線通信部１３０から基地局装置２００へ送信される。ＳＲが送信されると、ＳＲカウンタ制御部１１４によって、ＳＲカウンタ１１３がインクリメントされ、ＳＲの送信回数がカウントされる（ステップＳ１０４）。ＳＲは、所定のＳＲ終了条件が満たされるまでは繰り返して送信されるため、ＳＲが送信されるたびにＳＲカウンタ制御部１１４によってＳＲカウンタ１１３がインクリメントされる。所定のＳＲ終了条件は、例えばＵＬデータの送信が完了することなどである。
【００３７】
ところで、ＳＲ設定が変更される場合には、ＳＲの送信が繰り返される最中でも設定情報受信部１１１によって設定情報が受信され、ＳＲ設定が再設定される（ステップＳ１０５）。すなわち、例えばＳＲが起動された際のＳＲ設定とは異なるＳＲ設定でＳＲの送信が継続されることがある。このような場合、ＳＲ送信制御部１１２によって、再設定されたＳＲ設定でＳＲが送信される。また、ＳＲカウンタ制御部１１４によって、ＳＲカウンタ１１３におけるＳＲ設定ごとのカウント回数が制御される（ステップＳ１０６）。具体的には、ＳＲカウンタ制御部１１４によって、再設定後のＳＲ設定及び再設定前のＳＲの送信回数の少なくとも一方に応じてＳＲカウンタ１１３が制御される。
【００３８】
次に、ＳＲ設定が再設定された場合のＳＲカウンタ１１３の制御の具体例について説明する。図４は、ＳＲカウンタ１１３の制御の第１の具体例を示すシーケンス図である。
【００３９】
ＵＬデータに対応するＳＲ設定が例えばＳＲ設定＃１である場合、ＳＲ送信制御部１１２によって、ＳＲ設定＃１に従ってＳＲが送信される（ステップＳ２０１）。そして、所定のＳＲ終了条件が満たされるまでは、ＳＲ送信制御部１１２によって、ＳＲが繰り返して送信される（ステップＳ２０２）。このとき、ＳＲカウンタ１１３において、ＳＲが送信されるたびにＳＲ設定＃１に対応するカウント回数がインクリメントされ、ＳＲの送信回数がカウントされる。
【００４０】
ＳＲの送信が繰り返される間、ＳＲ設定の変更があると、基地局装置２００からＳＲ設定の再設定を指示する設定情報が送信される（ステップＳ２０３）。設定情報は、端末装置１００の設定情報受信部１１１によって受信され、ＳＲ設定が再設定される。ここでは、当該ＳＲ設定にマッピングされた論理チャネル（ＬＣＨ：Logical  CHannel）が起動した、送信中（又はSR  pending中）のＳＲが属するＳＲ設定がＳＲ設定＃１からＳＲ設定＃２に変更されたものとする。
【００４１】
この場合、第１の具体例では、ＳＲカウンタ１１３のカウント数が継続される（ステップＳ２０４）。すなわち、ＭＡＣ初期化が行われないため、カウントも初期化されずに継続する。換言すれば、再設定前のＳＲ設定＃１におけるカウント数が再設定後のＳＲ設定＃２におけるカウント数として引き継がれる。そして、ＳＲ設定の再設定後は、ＳＲ送信制御部１１２によって、再設定後のＳＲ設定＃２に従ってＳＲが送信される（ステップＳ２０５）。第１の具体例では、ＳＲカウンタ１１３のカウント数が継続されるため、例えばＳＲ設定＃１でのＳＲ送信回数がＸ回である場合には、ＳＲ設定＃２でのＳＲ送信回数は（Ｘ＋１）回からカウントされる。
【００４２】
このように、ＳＲカウンタ制御部１１４によって、ＳＲ設定が再設定される場合でもＳＲカウンタ１１３のカウント数が継続するように制御されることにより、あるＬＣＨに到着した１つのＵＬデータによって起動されたＳＲの送信回数を一貫してカウントすることができる。よって、例えばＵＬデータの送信遅延が適切な範囲に収まるように制御することができる。なお、第１の具体例のようにＳＲカウンタ１１３が制御される場合には、３ＧＰＰの標準仕様書であるＴＳ３８．３２１の第５．４．４項は、例えば図５のように改めることが可能である。この例では、あるＬＣＨがあるＳＲ設定にマッピングされている限り、ＳＲカウンタが継続することが規定される。
【００４３】
図６は、ＳＲカウンタ１１３の制御の第２の具体例を示すシーケンス図である。図６において、図４と同じ部分には同じ符号を付し、その説明を省略する。
【００４４】
第２の具体例では、ＳＲ設定が再設定されると、すべてのＳＲ設定においてＳＲ送信回数が改めて初期値からカウントされる。すなわち、ＭＡＣ初期化は行われないが、ＳＲ設定が再設定されるためカウントが初期化される。換言すれば、すべてのＳＲ設定に属するＳＲがキャンセルされ、ＳＲカウンタ１１３が初期化される（ステップＳ２１１）。この結果、再設定後のＳＲ設定＃２のカウント回数も初期化され、ＳＲ設定＃２のＳＲ送信回数が例えば初期値の０になる。そして、ＳＲ設定の再設定後にＳＲ設定＃２に従ってＳＲが送信されると（ステップＳ２０５）、ＳＲ設定＃２でのＳＲ送信回数が１回からカウントされる。
【００４５】
このように、ＳＲカウンタ制御部１１４によって、ＳＲ設定が再設定される場合にＳＲカウンタ１１３を初期化するように制御されることにより、カウント回数が上限に達して無線回線エラーが発生する可能性を低減し、通信の継続を促進することができる。なお、第２の具体例のようにＳＲカウンタ１１３が制御される場合には、３ＧＰＰの標準仕様書であるＴＳ３８．３２１の第５．４．４項は、例えば図７〜９のように改めることが可能である。
【００４６】
図７においては、ＳＲ設定の再設定が発生する場合には、起動されているすべてのＳＲがキャンセルされることが規定されている。また、図８においては、ＳＲがキャンセルされることに加えて、すべてのＳＲ設定が新たに設定されることが規定されている。一方、図９においては、ＳＲのキャンセルやＳＲ設定が新規であること等は規定されず、ＳＲ設定が再設定された後にＳＲが起動されると、ＳＲカウンタが初期化されることのみが規定されている。
【００４７】
図１０は、ＳＲカウンタ１１３の制御の第３の具体例を示すシーケンス図である。図１０において、図４と同じ部分には同じ符号を付し、その説明を省略する。
【００４８】
第３の具体例では、ＳＲ設定が再設定されると、再設定後のＳＲ設定においてＳＲ送信回数が改めて初期値からカウントされる。一方、再設定されないＳＲ設定のカウントは初期化されずに継続する。つまり、第３の具体例は、第１の具体例と第２の具体例の中間的なＳＲ設定方法である。第３の具体例においては、ＳＲ設定＃２に属するＳＲがキャンセルされ、ＳＲカウンタ１１３においてＳＲ設定＃２のカウント回数が初期化される（ステップＳ２２１）。この結果、ＳＲ設定＃２のＳＲ送信回数が例えば初期値の０になる。そして、ＳＲ設定の再設定後にＳＲ設定＃２に従ってＳＲが送信されると（ステップＳ２０５）、ＳＲ設定＃２でのＳＲ送信回数が１回からカウントされる。ただし、このとき、ＳＲ設定＃２以外のＳＲ設定に属するＳＲがキャンセルされることはなく、ＳＲカウンタ１１３においてＳＲ設定＃２以外のＳＲ設定のカウント数は継続する。
【００４９】
このように、ＳＲカウンタ制御部１１４によって、ＳＲ設定が再設定される場合にＳＲカウンタ１１３において再設定後のＳＲ設定のカウント回数を初期化するように制御されることにより、カウント回数が上限に達して無線回線エラーが発生する可能性を低減し、通信の継続を促進することができる。また、他のＳＲ設定に関しては、ＳＲ設定の再設定の影響を受けることなく、ＳＲの送信回数を一貫してカウントすることができる。なお、第３の具体例のようにＳＲカウンタ１１３が制御される場合には、３ＧＰＰの標準仕様書であるＴＳ３８．３２１の第５．４．４項は、例えば図１１のように改めることが可能である。図１１では、ＢＳＲをトリガするＬＣＨの、ＣＧ再設定前のオリジナルのＳＲ設定をＳＲ設定と定義している。したがって、ＣＧの再設定が発生し、オリジナルのＳＲ設定が変更された場合、当該ＬＣＨがトリガしたＳＲは無効となる。ＳＲが無効になるため、新規のＳＲのトリガに応じてＳＲカウンタが初期化される。一方、オリジナルのＳＲ設定が変更されない場合、当該ＬＣＨがトリガしたＳＲは引き続き有効のままである。ＳＲが継続するため、新規にＳＲがトリガされてもＳＲカウンタは初期化されない。
【００５０】
以上のように、本実施の形態によれば、ＵＬデータのＳＲに関するＳＲ設定が再設定される場合に、ＳＲカウンタにおいてＳＲ送信回数のカウントを継続する、又はカウントを初期化するように制御する。このため、ＳＲ設定の再設定時のＳＲカウンタの動作が明確になり、プロトコルエラーの発生を回避することができる。換言すれば、ＳＲカウンタを適切に動作させることができる。
【００５１】
なお、上記実施の形態１においては、端末装置１００が接続するＣＧをＭＡＣレイヤの初期化無しに再設定する場合、ＣＧの再設定に応じてＳＲ設定も再設定されるものとした。しかし、ＣＧが再設定される場合でも、基地局装置２００の動作を制限してＳＲ設定が再設定されないようにしても良い。すなわち、ＣＧ設定が再設定された場合でも、基地局装置２００の設定情報送信部２２４から設定情報が送信されないようにしても良い。こうすることにより、ＣＧ設定の再設定に伴うＳＲ設定の再設定がなく、ＳＲカウンタ１１３の動作に影響がない。
【００５２】
（実施の形態２）
実施の形態２に係る無線通信システムは、実施の形態１と同様に、端末装置１００と基地局装置２００とを有する。実施の形態２に係る端末装置１００及び基地局装置２００の構成は、実施の形態１と同様であるため、その説明を省略する。
【００５３】
ところで、ＳＲの送信回数をカウントするＳＲカウンタは、１つのＳＲが起動され、同じＳＲ設定において他のＳＲが起動されていない場合に初期化されることが規定されている。しかしながら、例えば複数の論理チャネルで同時多発的に同じＵＬデータが送信される場合などには、複数のＳＲが同時に起動されることが考えられる。このような場合、ＳＲカウンタの初期化について、現状では明確な規定がなく、プロトコルエラーが発生する恐れがある。そこで、実施の形態２では、複数のＳＲが同時に起動される場合のプロトコルエラーを防止する場合について説明する。
【００５４】
実施の形態２において、ＳＲカウンタ制御部１１４は、ＳＲ送信制御部１１２によっていずれかのＳＲ設定による複数のＳＲの送信が同時に起動された場合も、該当するＳＲ設定のカウント回数を０に初期化する。すなわち、例えば複数の論理チャネルで送信すべきＵＬデータが発生し、複数の論理チャネルそれぞれにおいて同じＳＲ設定のＳＲが起動される場合、ＳＲカウンタ制御部１１４は、該当するＳＲ設定のカウント回数を初期値である０に設定する。
【００５５】
次いで、上記のように構成された無線通信システムにおけるスケジューリング要求の動作について、図１２に示すフロー図を参照しながら説明する。図１２において、図３と同じ部分には同じ符号を付し、その詳しい説明を省略する。以下においては、主に送信すべきＵＬデータが発生した場合の端末装置１００の動作について説明する。
【００５６】
端末装置１００において、送信すべきＵＬデータの発生は、ＢＳＲ送信のトリガとなる。このとき、このＵＬデータが例えば複数の論理チャネルによって送信すべきものである場合は、複数のＢＳＲ送信のトリガが同時に発生する（ステップＳ３０１）。このため、ＳＲ送信制御部１１２によって、ＵＬデータを送信するための複数のスケジューリング要求が起動される（ステップＳ３０２）。そして、ＳＲカウンタ制御部１１４によって、起動されたＳＲが属するＳＲ設定のＳＲカウンタ１１３におけるカウント回数が初期化される（ステップＳ１０３）。なお、同時に起動された複数のＳＲは同じＳＲ設定に属するものとする。
【００５７】
ＳＲカウンタ１１３のカウント回数が初期化されると、ＳＲ送信制御部１１２によって、ＳＲの送信が開始される。すなわち、ＳＲが無線通信部１３０から基地局装置２００へ送信される。ここで、同時に起動された複数のＳＲは、同じＳＲ設定に属するため、１つのＳＲとしてまとめて送信される。ＳＲが送信されると、ＳＲカウンタ制御部１１４によって、ＳＲカウンタ１１３がインクリメントされ、ＳＲの送信回数がカウントされる（ステップＳ１０４）。
【００５８】
そして、ＳＲ送信制御部１１２によって、所定のＳＲ終了条件が満たされるか否かが判定され（ステップＳ３０３）、満たされない場合には（ステップＳ３０３Ｎｏ）、ＳＲの送信とＳＲ送信回数のカウントとが繰り返される。また、所定のＳＲ終了条件が満たされる場合には（ステップＳ３０３Ｙｅｓ）、スケジューリング要求が完了する。
【００５９】
このように、ＳＲカウンタ制御部１１４によって、複数のＳＲが同時に起動される場合もＳＲカウンタ１１３を初期化するように制御されることにより、ＳＲの送信回数を正しくカウントすることができる。なお、本実施の形態のようにＳＲカウンタ１１３が制御される場合には、３ＧＰＰの標準仕様書であるＴＳ３８．３２１の第５．４．４項は、例えば図１３のように改めることが可能である。
【００６０】
以上のように、本実施の形態によれば、同じＳＲ設定に属する複数のＳＲが同時に起動される場合に、これらのＳＲを１つのＳＲとみなしてＳＲカウンタを初期化するように制御する。このため、複数のＳＲが同時に起動される場合のＳＲカウンタの動作が明確になり、プロトコルエラーの発生を回避することができる。換言すれば、ＳＲカウンタを適切に動作させることができる。
【００６１】
なお、上記実施の形態１、２は組み合わせて実施することが可能である。すなわち、複数のＳＲが同時に起動される場合、これらのＳＲを１つのＳＲとみなしてＳＲカウンタ１１３を初期化し、その後、ＳＲ設定の再設定があった場合には、再設定後のＳＲ設定及び再設定前のＳＲの送信回数の少なくとも一方に応じてＳＲカウンタ１１３を制御しても良い。
【００６２】
（実施の形態３）
実施の形態３に係る無線通信システムは、実施の形態１及び実施の形態２と同様に、端末装置１００と基地局装置２００とを有する。実施の形態３に係る端末装置１００及び基地局装置２００の構成は、実施の形態１及び実施の形態２と同様であるため、その説明を省略する。
【００６３】
ところで、ＳＲ設定は、ＳＲの送信が継続する間に変更されることが考えられる。具体的には、例えば端末装置１００が複数の基地局装置２００と同時に接続する多元接続をする際に、接続するセルのグループ（ＣＧ：Cell  Group）をＭＡＣ（Medium  Access  Control）レイヤの初期化（リセット）無しに再設定する場合がある。その場合に、ＣＧの再設定に応じてＳＲ設定も再設定されることがある。このような場合、ＳＲ設定ごとのＳＲカウンタの動作について、現状では明確な規定がなく、プロトコルエラーが発生する恐れがある。
【００６４】
例えば、ＳＲカウンタ１１３の初期値は、端末装置１００が搭載しているオペレーティングシステムに応じて設定がなされる。そのため、ＳＲカウンタ１１３の初期値が０ではない可能性もある。ＳＲカウンタ１１３の初期値が０でない場合、ＳＲの送信回数とＳＲカウンタ１１３の値とが一致しないため、ＳＲの回数が正しく算出（COUNT）されない。その結果、無線回線エラー（Radio  Link  Failure）が正しく判断されない。なお、ここでは、ＳＲカウンタ１１３の初期値の例を説明しているが、初期値以外でもＳＲ設定の変更時にＳＲカウンタ１１３が０でない場合もある。そこで、実施の形態３では、他の実施の形態と同様に、ＳＲ設定が変更される場合のプロトコルエラーを防止する場合について説明する。
【００６５】
実施の形態３において、ＳＲカウンタ制御部１１４は、ＳＲ送信制御部１１２によっていずれかのＳＲ設定によるＳＲの送信が起動され、当該ＳＲの送信回数を既にカウント中（SR  pending）にＳＲ設定が再設定される場合、他のＵＬデータに関するＳＲ送信回数が既にカウント中（SR  pending）であれば、当該ＳＲ設定のＳＲカウンタ１１３におけるカウント回数は初期化されない。一方、他のＵＬデータに関するＳＲ送信回数がカウント中でなければ、当該ＳＲ設定のＳＲカウンタ１１３におけるカウント回数が初期化（ＳＲカウンタ１１３の値を０にする）される。すなわち、ＳＲ送信がカウント中（SR  pending）か否かが、ＳＲカウンタ１１３におけるカウント回数の初期化の条件となる。
【００６６】
次いで、上記のように構成された無線通信システムにおけるスケジューリングリクエスト要求の動作について、実施の形態１で用いた図３を参照しながら実施の形態１との差分のみを説明する。
【００６７】
ステップＳ１０５でＳＲ設定が変更される（再設定される）場合に、ＳＲが起動された際のＳＲ設定とは異なるＳＲ設定でＳＲの送信が継続されることがある。このような場合、ＳＲ送信制御部１１２によって、再設定されたＳＲ設定でＳＲを送信するように制御される。また、ＳＲカウンタ制御部１１４によって、ＳＲカウンタ１１３におけるＳＲ設定ごとのカウント回数が制御される（ステップＳ１０６）。具体的には、ＳＲカウンタ制御部１１４によって、当該ＳＲ設定における他のＵＬデータに関するＳＲ送信回数が既にカウント中（SR  pending）であれば、当該ＳＲ設定のＳＲカウンタ１１３におけるカウント回数は初期化されない。一方、他のＵＬデータに関するＳＲ送信回数がカウント中でなければ、当該ＳＲ設定のＳＲカウンタ１１３におけるカウント回数が初期化される。
【００６８】
なお、３ＧＰＰの標準仕様書であるＴＳ３８．３２１の第５．４．４項は、例えば、図１４あるいは図１５のように改めることが可能である。図１４では、ＳＲカウンタの初期化に関する規定を改めて、本実施例のステップＳ１０６が規定される。図１５では、ＳＲカウンタの回数制御に関する規定を改めて、本実施例のステップＳ１０６が規定される。
【００６９】
以上のように、本実施の形態によれば、ＵＬデータのＳＲに関するＳＲ設定が再設定される場合に、当該ＳＲのＳＲカウンタと、再設定後のＳＲ設定における他のＵＬデータに関するＳＲ送信回数のカウンタに応じて、ＳＲ送信回数のカウントを継続する、又は、カウントを初期化するように制御する。このため、ＳＲ設定の再設定時のＳＲカウンタの動作が明確になり、プロトコルエラーの発生を回避することができる。換言すれば、ＳＲカウンタを適切に動作させることができる。その結果、無線回線エラー（Radio  Link  Failure）を正しく判断することができる。
【００７０】
また、実施の形態３を実施の形態１と組み合わせて実施することが可能である。例えば、ＳＲカウンタ制御部１１４は、ＳＲ設定の変更前と変更後それぞれのＳＲカウンタ１１３の値に応じてＳＲカウンタ１１３を制御する。具体的には、送信中（又はSR  pending中）のＳＲがＳＲ設定＃１からＳＲ設定＃２に変更する場合、ＳＲ制御部１１４は、ＳＲ設定＃１とＳＲ設定＃２のうちカウント回数が大きい値（又は、小さい値）をＳＲカウント回数とするように制御しても良い。
【００７１】
また、実施の形態１と組み合わせの他の具体例としては、送信中（又はSR  pending中）のＳＲがＳＲ設定＃１からＳＲ設定＃２に変更される場合、ＳＲカウンタ制御部１１４は、ＳＲ設定＃１に対してのＳＲカウント回数の初期化を行い、ＳＲ設定＃２に対してのカウント回数を、ＳＲ設定＃２において、ＳＲ送信がカウント中（SR  pending）か否かに応じて、実施の形態３で説明した制御をしても良い。
【００７２】
また、実施の形態３を実施の形態２と組み合わせて実施することが可能である。例えば、複数のＳＲが同時に起動される場合、これらのＳＲを１つのＳＲとみなしてＳＲカウンタ１１３を初期化し、その後、ＳＲ設定の再設定があった場合には、再設定後のＳＲ設定において、ＳＲ送信がカウント中（SR  pending）か否かに応じて、ＳＲカウンタ１１３におけるカウント回数の制御をしても良い。
【００７３】
また、実施の形態１乃至３を組み合わせて実施しても良い。例えば、上記で説明した具体例を組み合わせて使用することができる。
【００７４】
以上のように、各実施の形態によれば、ＳＲ設定の再設定時のＳＲカウンタの動作が明確になり、プロトコルエラーの発生を回避することができる。換言すれば、ＳＲカウンタを適切に動作させることができる。
【符号の説明】
【００７５】
１１０、２２０  プロセッサ
１１１  設定情報受信部
１１２  ＳＲ送信制御部
１１３  ＳＲカウンタ
１１４  ＳＲカウンタ制御部
１１５、２２１  ＵＬ通信制御部
１２０、２３０  メモリ
１３０、２１０  無線通信部
２２２  スケジューリング部
２２３  ＵＬグラント送信部
２２４  設定情報送信部
【図１】
2020136922.tif 000003
【図２】
2020136922.tif 000004
【図３】
2020136922.tif 000005
【図４】
2020136922.tif 000006
【図５】
2020136922.tif 000007
【図６】
2020136922.tif 000008
【図７】
2020136922.tif 000009
【図８】
2020136922.tif 000010
【図９】
2020136922.tif 000011
【図１０】
2020136922.tif 000012
【図１１】
2020136922.tif 000013
【図１２】
2020136922.tif 000014
【図１３】
2020136922.tif 000015
【図１４】
2020136922.tif 000016
【図１５】
2020136922.tif 000017
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
スケジューリング要求を基地局装置へ送信する端末装置であって、
論理チャネルに対応するスケジューリング要求設定に関する設定情報を含む信号を受信できる受信部と、
前記スケジューリング要求設定に対応するカウンタを制御する制御部とを有し、
前記制御部は、
前記受信部が前記スケジューリング要求設定の再設定に関する設定情報を含む信号を受信した場合、前記再設定後のスケジューリング要求設定及びスケジューリング要求の状態の少なくとも一方に応じて、前記カウンタを制御する
ことを特徴とする端末装置。
【請求項２】
前記制御部は、
前記再設定後のスケジューリング要求設定に対応するカウンタに、前記再設定前のスケジューリング要求の送信回数から継続してスケジューリング要求の送信回数をカウントさせることを特徴とする請求項１記載の端末装置。
【請求項３】
前記制御部は、
前記受信部が前記スケジューリング要求設定の再設定に関する設定情報を含む信号を受信した場合、すべてのスケジューリング要求設定に対応するカウンタを初期化する
ことを特徴とする請求項１記載の端末装置。
【請求項４】
前記制御部は、
前記受信部が前記スケジューリング要求設定の再設定に関する設定情報を含む信号を受信した場合、複数のスケジューリング要求設定に対応する複数のカウンタのうち前記再設定後のスケジューリング要求設定に対応するカウンタのみを初期化することを特徴とする請求項１記載の端末装置。
【請求項５】
前記制御部は、
１つのスケジューリング要求設定に属する複数のスケジューリング要求が同時に起動された場合、前記１つのスケジューリング要求設定に対応するカウンタを初期化する
ことを特徴とする請求項１記載の端末装置。
【請求項６】
前記制御部は、
前記カウンタに初期値である０を設定して初期化することを特徴とする請求項３〜５のいずれか１つに記載の端末装置。
【請求項７】
スケジューリング要求を基地局装置へ送信する端末装置であって、
論理チャネルに対応するスケジューリング要求設定に関する設定情報を含む信号を受信できる受信部と、
前記スケジューリング要求設定に対応するカウンタを制御する制御部とを有し、
前記制御部は、
１つのスケジューリング要求設定に属する複数のスケジューリング要求が同時に起動された場合、前記１つのスケジューリング要求設定に対応するカウンタを初期化することを特徴とする端末装置。
【請求項８】
前記制御部は、
前記カウンタに初期値である０を設定して初期化することを特徴とする請求項７記載の端末装置。
【請求項９】
前記制御部は、
前記受信部が前記スケジューリング要求設定の再設定に関する設定情報を含む信号を受信した場合、前記再設定後のスケジューリング要求の設定において、スケジューリング要求送信がカウント中か否かに応じて、前記カウンタを初期化することを特徴とする請求項１に記載の端末装置。
【請求項１０】
スケジューリング要求を端末装置から受信する基地局装置であって、
論理チャネルに対応するスケジューリング要求設定に関する設定情報を含む信号を送信できる送信部と、
前記送信部が前記スケジューリング要求設定の再設定に関する設定情報を含む信号を送信した場合、前記再設定後のスケジューリング要求設定及びスケジューリング要求の状態の少なくとも一方に応じて制御されるカウンタによって送信回数がカウントされるスケジューリング要求を受信できる受信部と、
前記受信部によってスケジューリング要求が受信された場合、スケジューリング要求に従って前記端末装置にリソースを割り当てるスケジューリング部と
を有することを特徴とする基地局装置。
【請求項１１】
スケジューリング要求を送受信する端末装置と基地局装置とを有する無線通信システムであって、
前記端末装置は、
論理チャネルに対応するスケジューリング要求設定に関する設定情報を含む信号を受信できる受信部と、
前記スケジューリング要求設定に対応するカウンタを制御する制御部とを有し、
前記制御部は、
前記受信部が前記スケジューリング要求設定の再設定に関する設定情報を含む信号を受信した場合、前記再設定後のスケジューリング要求設定及びスケジューリング要求の状態の少なくとも一方に応じて、前記カウンタを制御する
ことを特徴とする無線通信システム。
【手続補正２】
【補正対象書類名】明細書
【補正対象項目名】００７０
【補正方法】変更
【補正の内容】
【００７０】
また、実施の形態３を実施の形態１と組み合わせて実施することが可能である。例えば、ＳＲカウンタ制御部１１４は、ＳＲ設定の変更前と変更後それぞれのＳＲカウンタ１１３の値に応じてＳＲカウンタ１１３を制御する。具体的には、送信中（又はSR  pending中）のＳＲがＳＲ設定＃１からＳＲ設定＃２に変更する場合、ＳＲカウンタ制御部１１４は、ＳＲ設定＃１とＳＲ設定＃２のうちカウント回数が大きい値（又は、小さい値）をＳＲカウント回数とするように制御しても良い。
【国際調査報告】
2020136922.tif 000018
2020136922.tif 000019
2020136922.tif 000020
2020136922.tif 000021